【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
第１コロと第２コロのそれぞれの周面でインクリボンを狭持し、これらのコロの回転により上記インクリボンを巻き取って収納部内に収納する記録装置のリボンカートリッジにおいて、
上記第２コロの周面が平滑面であり、
上記第１コロの周面に複数の凸部が螺旋状に形成されたことを特徴とする記録装置のリボンカートリッジ。
【請求項２】
第１コロと第２コロのそれぞれの周面でインクリボンを狭持し、これらのコロの回転により上記インクリボンを巻き取って収納部内に収納する記録装置のリボンカートリッジにおいて、
上記第２コロの周面が平滑面であり、
上記第１コロは、外周面が平滑な複数のコロエレメントの端面間に突起リングが配置されて構成され、上記突起リングは、外周に先鋭形状の複数の突起が設けられると共に、上記コロエレメントよりも大径に形成されたことを特徴とする記録装置のリボンカートリッジ。
【請求項３】
第１コロと第２コロのそれぞれの周面でインクリボンを狭持し、これらのコロの回転により上記インクリボンを巻き取って収納部内に収納する記録装置のリボンカートリッジにおいて、
上記第２コロの周面が平滑面であり、
上記第１コロは、外周面が平滑なコロエレメントの端面に突起リングが配置されて構成され、上記突起リングは、外周に先鋭形状の複数の突起が設けられると共に、上記コロエレメントよりも大径に形成されたことを特徴とする記録装置のリボンカートリッジ。
【請求項４】
第１コロと第２コロのそれぞれの周面でインクリボンを狭持し、これらのコロの回転により上記インクリボンを巻き取って収納部内に収納する記録装置のリボンカートリッジにおいて、
上記第１コロまたは上記第２コロの一方の周面が平滑面であり、上記インクリボンには、非使用領域に、このインクリボンの長手方向に沿って多数の穴が形成され、上記第１コロまたは上記第２コロの他方には、上記穴に嵌合可能なトラクタピンが形成されたことを特徴とする記録装置のリボンカートリッジ。
【請求項５】
上記第１コロまたは上記第２コロの他方は、外周面が平滑な複数のコロエレメントの端面間にトラクタリングが配置されて構成され、上記トラクタリングは、外周に複数のトラクタピンが設けられるとともに、上記コロエレメントよりも大径に形成されたことを特徴とする請求項４に記載の記録装置のリボンカートリッジ。
【請求項６】
上記第１コロまたは上記第２コロの他方は、外周面が平滑なコロエレメントの端面にトラクタリングが配置されて構成され、上記トラクタリングは、外周に複数のトラクタピンが設けられるとともに、上記コロエレメントよりも大径に形成されたことを特徴とする請求項４に記載の記録装置のリボンカートリッジ。
【請求項７】
上記第１コロが駆動コロであり、上記第２コロが従動コロまたは駆動コロであることを特徴とする請求項１乃至６のいずれかに記載の記録装置のリボンカートリッジ。
【手続補正２】
【補正対象書類名】明細書
【補正対象項目名】０００９
【補正方法】変更
【補正の内容】
【０００９】
【課題を解決するための手段】
請求項１に記載の発明は、第１コロと第２コロのそれぞれの周面でインクリボンを狭持し、これらのコロの回転により上記インクリボンを巻き取って収納部内に収納する記録装置のリボンカートリッジにおいて、上記第２コロの周面が平滑面であり、上記第１コロの周面に複数の凸部が螺旋状に形成されたことを特徴とするものである。


【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項２に記載の発明は、第１コロと第２コロのそれぞれの周面でインクリボンを狭持し、これらのコロの回転により上記インクリボンを巻き取って収納部内に収納する記録装置のリボンカートリッジにおいて、上記第２コロの周面が平滑面であり、上記第１コロは、外周面が平滑な複数のコロエレメントの端面間に突起リングが配置されて構成され、上記突起リングは、外周に先鋭形状の複数の突起が設けられると共に、上記コロエレメントよりも大径に形成されたことを特徴とするものである。


【手続補正７】
【補正対象書類名】明細書
【補正対象項目名】００１４
【補正方法】変更
【補正の内容】
【００１４】
請求項３に記載の発明は、第１コロと第２コロのそれぞれの周面でインクリボンを狭持し、これらのコロの回転により上記インクリボンを巻き取って収納部内に収納する記録装置のリボンカートリッジにおいて、上記第２コロの周面が平滑面であり、上記第１コロは、外周面が平滑なコロエレメントの端面に突起リングが配置されて構成され、上記突起リングは、外周に先鋭形状の複数の突起が設けられると共に、上記コロエレメントよりも大径に形成されたことを特徴とするものである。


【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項４に記載の発明は、第１コロと第２コロのそれぞれの周面でインクリボンを狭持し、これらのコロの回転により上記インクリボンを巻き取って収納部内に収納する記録装置のリボンカートリッジにおいて、上記第１コロまたは上記第２コロの一方の周面が平滑面であり、上記インクリボンには、非使用領域に、このインクリボンの長手方向に沿って多数の穴が形成され、上記第１コロまたは上記第２コロの他方には、上記穴に嵌合可能なトラクタピンが形成されたことを特徴とするものである。


【手続補正１０】
【補正対象書類名】明細書
【補正対象項目名】００１７
【補正方法】変更
【補正の内容】
【００１７】
請求項５に記載の発明は、請求項４に記載の発明において、上記第１コロまたは上記第２コロの他方は、外周面が平滑な複数のコロエレメントの端面間にトラクタリングが配置されて構成され、上記トラクタリングは、外周に複数のトラクタピンが設けられるとともに、上記コロエレメントよりも大径に形成されたことを特徴とするものである。


【手続補正１１】
【補正対象書類名】明細書
【補正対象項目名】００１８
【補正方法】変更
【補正の内容】
【００１８】
請求項６に記載の発明は、請求項４に記載の発明において、上記第１コロまたは上記第２コロの他方は、外周面が平滑なコロエレメントの端面にトラクタリングが配置されて構成され、上記トラクタリングは、外周に複数のトラクタピンが設けられるとともに、上記コロエレメントよりも大径に形成されたことを特徴とするものである。


【手続補正１２】
【補正対象書類名】明細書
【補正対象項目名】００１９
【補正方法】変更
【補正の内容】
【００１９】
請求項７に記載の発明は、請求項１乃至６のいずれかに記載の発明において、上記第１コロが駆動コロであり、上記第２コロが従動コロまたは駆動コロであることを特徴とするものである。


【手続補正１３】
【補正対象書類名】明細書
【補正対象項目名】００２０
【補正方法】変更
【補正の内容】
【００２０】
請求項１乃至３または７に記載の発明には、次の作用がある。


【手続補正１４】
【補正対象書類名】明細書
【補正対象項目名】００２３
【補正方法】変更
【補正の内容】
【００２３】
請求項４乃至７に記載の発明には、次の作用がある。